(57)【特許請求の範囲】
【請求項１】
単位体(21)は基盤部(1)と起立部(2)を備え、
該起立部(2)は側壁(3)及び天板(4)で囲まれ下面が開放面(5’)となった中空部(5)を有し、
該側壁(3)にはスリット(6)が穿たれ、
該中空部(5)にはブロック体(9)に成形された内部培土(7)が、該起立部(2)の内壁面(10)に添着して、収容されており、
該単位体(21)の複数個が該基盤部(1)の外端面で一体となって各起立部(2)間に外部培土(14)を入れる植栽空間(S)を現出している
ことを特徴とする緑化植栽保護パネル。
【請求項２】
該基盤部(1)に排水孔(35)が穿たれている請求項１に記載の緑化植栽保護パネル。
【請求項３】
該天板(4)に通気孔(8)が穿たれている請求項１又は２に記載の緑化植栽保護パネル。
【請求項４】
該内部培土(7)は高分子保水材入りウレタンマット、ロックウールのブロック、粉体、粒体、パーライトの内の一つである請求項１、２又は３に記載の緑化植栽保護パネル。
【請求項５】
単位体(21)は基盤部(1)と起立部(2)を備え、
該起立部(2)は側壁(3)及び天板(4)で囲まれ下面が開放面(5’)となった中空部(5)を有し、
該側壁(3)にはスリット(6)が穿たれ、
該中空部(5)には粉体又は粒体(11)を透水性の密閉容器(12)に収容した内部培土(7)が、該起立部(2)の内壁面(10)に添着して収容されており、
該単位体(21)の複数個が該基盤部(1)の外端面で一体となって各起立部(2)間に外部培土(14)を入れる植栽空間(S)を現出している
ことを特徴とする緑化植栽保護パネル。
【請求項６】
該内部培土(7)は該起立部(2)の該内壁面(10)から該中空部(5)に突き出た爪(13)により、該中空部(5)内に抑止されている請求項１から５の一つの項に記載の緑化植栽保護パネル。
【請求項７】
該内部培土(7)は、該中空部(5)の開放面(5’)を覆って該基盤部(1)に張設した被覆材(15)により、該中空部(5)内に定置される請求項１から６の一つの項に記載の緑化植栽保護パネル。
【請求項８】
該被覆材(15)は透根、透水性の不織布や生分解性の布又は紙のうちの一つである請求項７に記載の緑化植栽保護パネル。
【発明の詳細な説明】
【技術分野】
【０００１】
本発明は緑化植栽保護パネルに関し、パネルの植栽空間に植えた植栽物を踏み圧や乾燥から保護して良好な育成を果たせるようにするためのものである。
【背景技術】
【０００２】
植栽物が直接的な平面荷重を受けないようにすると共に、植栽空間に植栽するようにした保護材は種々開発されている。そして、乾燥対策としてパネルの底を塞いで水分を貯留するようにしたものが、例えば特開２００３−４７３４６号公報に記載されている。
【特許文献１】特開２００３−４７３４６号公報
【発明の開示】
【発明が解決しようとする課題】
【０００３】
特開２００３−４７３４６号公報に示されたものは、緑化用植栽容器を連結することで建物屋上や駐車場でも連続して敷設でき、保水性と断熱効果を有する緑化に最適で安価な緑化用植栽容器に関しており、連結部を穿設した底部周面に複数個の貯留壁を立設して貯留槽を凹設形成し、接続リブで横架支承した植物保護用支持柱とを一体的に形成した栽培容器の各貯留槽内に水質調整材、人工軽量骨材から成る栽培土及びマルチング材を積層し、芝生等を植栽した緑化用植栽容器である。
【０００４】
この緑化用植栽容器の場合、輪荷重等の垂直荷重を設置面に伝えるのは支持柱４や中間支持柱１０で、例示されている１８００ｍｍ規格寸法とした場合、支持柱や突起部の数を増やすという説明がないので、支持柱４と突起部２１の間隔は約３００ｍｍとなり、靴底の縦横寸法やタイヤ幅より大きくなってしまう。この間隔で人が歩行すると靴底が支持柱から外れて貯留槽内に入り込み、車が走行するとタイヤがこの貯留槽内に入り込んでしまう。何れの場合も、貯留槽内に入れた培土は押し固められることになり、芝生等の良好な植栽は期待できない。
【０００５】
人や車両が植栽容器上を通行しても植栽空間に入れた培土を押し固めることがないようにするためには、支持柱が荷重に耐えて挫屈しないこと、支持柱相互間を靴底や車輪が入り込まない間隔にすることが必要である。また、植栽植物の良好な生育を保証するためには植栽空間に対する補水を継続させることが必要となる。
【０００６】
本発明は、側壁にスリットを設け、かつ中空部に内部培土を収容しておくことにより、外部培土に植栽された植物の生育根を側壁のスリットを通して中空部内に導き、根張りに支障なくして成長を促進させ、更に側壁のスリットを通って侵入して来た根を内部培土に侵入させてそれに含まれる養分や水分を吸収させ、もって植物の生育を促進させることのできる緑化植栽保護パネルを提供することを目的とする。
【課題を解決するための手段】
【０００７】
（請求項１）本発明に係る緑化植栽保護パネルの単位体は基盤部と起立部を備えている。該起立部は、側壁及び天板で囲まれ下面が開放面となった中空部を有している。該側壁にはスリットが穿たれている。該中空部にはブロック体に成形された内部培土が、該起立部の内壁面に添着して、収容されている。そして、該単位体の複数個が該基盤部の外端面で一体となって各起立部間に外部培土を入れる植栽空間を現出している。
【０００８】
このパネルは単位体の複数個が連接した状態に構成されている。予め形成した単位体相互を接着するというより、複数の単位体を一体に成形して構成するのが一般的である。基盤部と起立部の構成材料は自由で、プラスチックが成形性、防錆、価格等の点で好ましいが、金属とすれば強度の面で有利となる。
【０００９】
パネルは各単位体を、それぞれの起立部が同一面に位置するようにして連設して、構成され、起立部相互間には植栽空間となる窪みが現出している。
【００１０】
このパネルを駐車場、屋上、路面等に敷設する。駐車場に敷設する場合は、敷設面のアスファルト等を撤去し、床掘りとその転圧を行う。土壌改良材及び砕石の攪拌物を敷き均して転圧する。本発明の緑化植栽保護パネルを、敷設面積に応じ、順次連結して敷設する。
【００１１】
敷設されたパネルの上から外部培土を敷設する。外部培土は隣り合った起立部同士間の植栽空間に充填される。この外部培土に緑化用の植物を植え付ける。芝の場合は芝付土となる。潅水して日が経てば、植物は着床し、生育できる状態となる。
【００１２】
該側壁にスリットが穿たれ、該中空部に内部培土が該起立部の内壁面に添着して収容されている。内部培土の取扱が容易になり、殊に粉体や粒体の場合の効果が高い。外部培土に植栽された植栽物が生育してその根が張り出したとき、その一部が側壁のスリットを通って中空部に侵入するので根張りに支障がなく、侵入した根は中空部に収まっている内部培土に侵入し、この内部培土から栄養分や水分を吸収して成長を促進する。
【００１３】
撒水や降雨があると植栽空間内の外部培土が水を吸収して保水する。吸収しきれなくなった余分な水は中空部下面の開放面から排出される。従って、植栽植物が乾燥により枯死したり、水沒により根腐れを起こすことはない。
【００１４】
歩行者や車両がパネルに載ると、天板部に荷重が掛かる。荷重は起立部から基盤部を通って設置面に伝えられ、起立部は挫屈を起こすことなく、その形状を維持する。従って、植栽空間に充填された外部培土や、この外部培土に植栽された植物に直接荷重が掛かることはなく、植生に何ら支障を生じない。
【００１５】
（請求項２）該基盤部に排水孔が穿たれていてもよい。
こうすると、植栽空間内に収容し切れなくなった余分な水はこの排水孔を通って直に地面に流出することができる。
【００１６】
（請求項３）該天板に通気孔が穿たれていてもよい。
こうすると、外部培土内部がスリットを通して中空部内と連通し、この中空部内が通気孔を通して大気と連通するので、外部培土内の換気が行われ、植生の活性化に役立つ。また、撒水や降雨等による水はこの通気孔を通って中空部に入り込み、内部培土に吸収されるので、折角供給された水を無駄に流下させずに補水目的に供することができる。
【００１７】
（請求項４）該内部培土は高分子保水材入りウレタンマット、ロックウールのブロック、粉体、粒体、パーライトの内の一つであってもよい。
こうすると、保水効果が大きいので、長期にわたる補水が可能となる。
【００１８】
（請求項５）該内部培土は粉体又は粒体で、透水性の密閉容器に収容された状態で該起立部の内壁面に添着されている。ここでいう透水性の密閉容器には、薄い不織布やガーゼのような薄い布で出来た袋、紙袋が包含されるものとする。粉体や粒体をそのまま容器に収容して中空部に収納でき、成型したりする手間を省け、水分は容器の内外へその壁面を通して浸透できる。
【００１９】
（請求項６）該内部培土は該起立部の該内壁面から該中空部に突き出た爪により、該中空部内に抑止されていてもよい。
こうすると、内部培土を中空部内に押し込むだけでその外周面の一部が爪と係合し、その脱出が阻止される。
【００２０】
（請求項７）該内部培土は該中空部の開放面を覆って該基盤部に張設した被覆材により、該中空部内に定置されてもよい。
こうすると、内部培土を中空部に安定して定置でき、運搬の際に脱落したりしない。
【００２１】
（請求項８）該被覆材は透根、透水性の不織布や生分解性の布又は紙のうちの一つであってもよい。
こうすると、緑化パネルの設置時に、その都度被覆材を剥がす必要がなく、作業が効率よく行え、コスト低減にも役立つ。
【発明の効果】
【００２２】
本発明によれば、単位体は基盤部と起立部を備え、該起立部は、側壁及び天板で囲まれ下面が開放面となった中空部を有し、該側壁にはスリットが穿たれ、該中空部にはブロック体に成型された内部培土が、該起立部の内壁面に添着して収容されており、該単位体の複数個が該基盤部の外端面で一体となって各起立部間に外部培土を入れる植栽空間を現出しているので、撒水や降雨があると植栽空間内の外部培土が水を吸収して保水し、吸収しきれなくなった余分な水は開放面から排出され、従って、植栽植物が乾燥により枯死したり、水没により根腐れを起こすことはない。
また、内部培土の取扱が容易で、貯水機能を持たせることができ、殊に粉体や粒体の場合の効果が顕著である。そして、外部培土中で成長した根系がスリットを通ってこの内部培土に侵入し、そこに蓄えられた水分や養分を吸収でき、植物の成長促進を果せる。
更に、歩行者や車両がパネルに載ると、天板部に荷重が掛かる。荷重は起立部から基盤部を通って設置面に伝えられ、起立部は挫屈を起こすことなく、その形状を維持する。従って、植栽空間に充填された外部培土や、この外部培土に植栽された植物に直接荷重が掛かることはなく、植生に何ら支障を生じない。
【００２３】
請求項２によれば、該基盤部に排水孔が穿たれているので、植栽空間内に収容し切れなくなった余分な水はこの排水孔を通って直に地面に流出することができる。
【００２４】
請求項３によれば、該天板に通気孔が穿たれているので、外部培土内部がスリットを通して中空部内と連通し、この中空部内が通気孔を通して大気と連通し、外部培土内の換気が行われ、植生の活性化に役立つ。また、撒水や降雨等による水はこの通気孔を通って中空部に入り込み、植物育成助材に吸収されるので、折角供給された水を無駄に流下させずに補水目的に供することができる。
【００２５】
請求項４によれば、該内部培土は高分子保水材入りウレタンマット、ロックウールのブロック、粉体、粒体、パーライトの内の一つであるので、保水効果が大きく、長期にわたる補水が可能となる。
【００２６】
請求項５によれば、請求項１の発明の効果に加え、該内部培土は粉体又は粒体で、透水性の密閉容器に収容された状態で該起立部の内壁面に添着されているので、粉体や粒体をそのまま容器に収容して中空部に収納でき、成形したりする手間を省け、水分は容器の内外へその壁面を通して浸透できる。
【００２７】
請求項６によれば、該内部培土は該起立部の該内壁面から該中空部に突き出た爪により、該中空部内に抑止されているので、内部培土を中空部内に押し込むだけでその外周面の一部が爪と係合し、その脱出が阻止される。
【００２８】
請求項７によれば、該内部培土は、該中空部の開放面を覆って該基盤部に張設した被覆材により該中空部内に定置されるので、内部培土を中空部に安定して定置でき、運搬の際に脱落したりしない。
【００２９】
請求項８によれば、該被覆材は透根、透水性の不織布や生分解性の布又は紙のうちの一つであるので、緑化パネルの設置時に、その都度被覆材を剥がす必要がなく、作業が効率よく行え、コスト低減にも役立つ。
【発明を実施するための最良の形態】
【００３０】
図１は本発明に係る緑化植栽保護パネルの具体例を示す正面図で、植栽空間を右から左へ順に、通常の培土による植栽、伸縮性かつ保水性の培土による植栽、伸縮性かつ保水性の培土による植栽で自転車の車輪が植栽空間に入り込んで培土が圧縮されている各状態を示してある。図２は平面図、図３は単位体の断面図、図４はブロック状に成形した内部培土の一例の正面図、図５は容器に収容した内部培土の一例を、容器を切断して示す正面図である。
【００３１】
２１は単位体で、基盤部１と起立部２を備えている。この起立部２は側壁３及び天板４で囲まれた中空部５を有している。このような構成の単位体２１の複数個が基盤部１の外端面で一体となって各起立部２間に植栽空間Ｓを現出している。
【００３２】
側壁３にスリット６が穿たれ、中空部５に保水性及び吸水性のある内部培土７が該起立部２の内壁面１０に添着して収容されている。植物育成助材７の取扱が容易となり、殊に粉体や粒体の場合の効果が顕著である。外部培土１４に植栽された植栽物Ｐが生育してその根が張り出したとき、その一部が側壁３のスリット６を通って中空部５に侵入するので根張りに支障がなく、侵入した根は中空部５に収まっている内部培土７に侵入し、この内部培土７から栄養分や水分を吸収して成長を促進する。
【００３３】
内部培土７としては発泡体が好ましい。保水性が高まり、夏期の乾燥時でも無潅水で枯れないように維持できるからである。発泡体が高分子保水材入りウレタンマット、ロックウールのブロックや粒体、パーライトのようなものの場合、保水性が極めて高く、植栽植物は外気の長期の乾燥にも十分耐えられる。
【００３４】
このパネルは単位体２１の複数個が連接した状態に構成されている。基盤部１と起立部２の構成材料は自由で、プラスチックが成形性、防錆、価格等の点で好ましいが、金属とすれば強度の面で有利となる。
【００３５】
各起立部２の中空部５には内部培土７が収まっており、各単位体２１の起立部２相互間には植栽空間Ｓとなる窪みが現出している。
【００３６】
１例として、このパネルを駐車場に敷設する場合、敷設面のアスファルト等を撤去し、床掘りとその転圧を行う。土壌改良材及び砕石の攪拌物を敷き均して転圧する。本発明の緑化植栽保護パネルを、敷設面積に応じ、順次連結して敷設する。
パネルの植栽空間Ｓに外部培土１４を入れ込み、この外部培土に緑化用の植栽物Ｐを植え付ける。芝の場合は芝付土となる。潅水して日が経てば、植物は着床し、生育できる状態となる。
【００３７】
撒水や降雨があって植栽空間Ｓ内の外部培土１４が水を吸収しきれなくなると、余分な水は中空部５の下面の開放面５’から地面に流出する。
【００３８】
歩行者や車両がパネルに載ると、天板４に荷重が掛かる。荷重は起立部２から基盤部１を通って設置面に伝えられ、起立部２は挫屈を起こすことなく、その形状を維持する。従って、植栽空間Ｓに充填された外部培土１４や、この外部培土１４に植栽された植栽物Ｐに直接荷重が掛かることはなく、植生に何ら支障を生じない。
【００３９】
各単位体２１の起立部２相互間の横方向や斜め方向の間隔は、例えば、各単位体２１の縦横の等間隔配置の場合、対角１１２ｍｍ以下が好ましい。
【００４０】
単位体２１の数は、製造上や取扱上の問題も考慮して適当な数に決める。また、このパネルは側面に連結用の舌片３１と舌片受け３２を備え、舌片受け３２の突起３３を舌片３１の係合孔３４を係合させることにより、通常のパネルと同様に、平面上で連結展開できる。このようなパネルの外周縁に起立壁を形成すると、パネル自体の補強にもなり、パネル相互の接続もし易くなる。
【００４１】
（請求項２）基盤部１に排水孔３５が穿たれている。
この場合、植栽空間Ｓ内で収容し切れなくなった余分な水はこの排水孔３５を通って直に地面に流出することができる。
【００４２】
（請求項３）天板４に通気孔８が穿たれている。
この場合、外部培土１４の内部がスリット６を通して中空部５内と連通し、この中空部５内が通気孔８を通して大気と連通するので、単位体２１内外の温度変化に追随してこの通気孔８を通し内外の空気の流通を生じさせ、内部温度の過度の上昇や下降を防ぎ、外部培土１４内への空気の進入をし易くして植栽物Ｐの成長の促進に寄与できる。また、撒水や降雨等による水はこの通気孔８を通って中空部５に入り込み、植物育成助材７に吸収されるので、折角供給された水を無駄に流下させずに補水目的に供することができる。
【００４３】
（請求項４）内部培土７は高分子保水材入りウレタンマット、ロックウールのブロック、粉体、粒体、パーライトの内の一つとなっている。
この場合、保水効果が大きいので、長期にわたる補水が可能となる。
【００４４】
（請求項５）内部培土７は粉体及び粒体１１で、透水性の密封容器１２に収容された状態で起立部２の内壁面１０に添着されている。
この場合、粉体や粒体をそのまま密閉容器１２に収容して中空部５に収納できるので、成型したりする手間を省け、水分は密閉容器１２の内外へその壁面を通して浸透できる。
【００４５】
（請求項６）内部培土７は起立部２の内壁面１０から中空部５に突き出た爪１３により、中空部５内に抑止されている。
この場合、植物育成助材７を中空部５内に押し込むだけでその外周面の一部が爪１３と係合し、その脱出が阻止される。
【００４６】
（請求項７）内部培土７は、中空部５の開放面５’を覆って基盤部１に張設した被覆材１５により、該中空部５内に定置される。
この場合、内部培土を中空部に安定して定置でき、運搬の際に脱落したりしない。
【００４７】
（請求項８）被覆材１５は透根、透水性の不織布や生分解性の布又は紙のうちの一つである。
この場合、緑化パネルの設置時に、その都度被覆材１５を剥がす必要がなく、作業が効率よく行え、コスト低減にも役立つ。
【図面の簡単な説明】
【００４８】
【図１】本発明にかかる緑化保護パネルの具体例を、一部使用状態で示す正面図である。
【図２】平面図である。
【図３】単位体の断面図である。
【図４】ブロック状に成型した内部培土の一例の正面図である。
【図５】容器に収容した内部培土の一例を、容器を切断して示す正面図である。
【符号の説明】
【００４９】
１    基盤部
２    起立部
３    側壁
４    天板
５    中空部
５’  開放面
６    スリット
７    内部培土
８    通気孔
９    ブロック
１０  内壁面
１１  粉体又は粒体
１２  密閉容器
１３  爪
１４  外部培土
１５  被覆材
Ｓ    植栽空間
Ｃ    車輪
３１  舌片
３２  舌片受け
３３  突起
３４  係合孔
３５  排水孔
【図１】
0005042779.tif 000002
【図２】
0005042779.tif 000003
【図３】
0005042779.tif 000004
【図４】
0005042779.tif 000005
【図５】
0005042779.tif 000006